(57)【要約】【課題】光ピックアップの対物レンズ駆動装置に関する装置を提供する。【解決手段】対物レンズ１を保持するレンズホルダー２より成るアクチュエータ可動部をフレーム９に対して変位可能に支持される対物レンズ駆動装置であって、ピックアップ可動部に当接部２ｆを設け、ピックアップ可動部の両外側の近傍にフレーム９と一体化されたアクチュエータフレーム１５を配置し、該アクチュエータフレーム１５の左右上部にストッパー１７を各々設け、前記当接部２ｆにストッパー１７が当接することにより、可動部はディスク方向へ、規定以上の動作を制限するようにした。【選択図】    図１
2004273006.tif 000002
【特許請求の範囲】
【請求項１】
対物レンズを保持するレンズホルダーより成るアクチュエータ可動部をフレームに対して変位可能に支持される対物レンズ駆動装置であって、ピックアップ可動部に当接部を設け、ピックアップ可動部の両外側の近傍にフレームと一体化されたアクチュエータフレームを配置し、該アクチュエータフレームの左右上部にストッパーを各々設け、前記当接部にストッパーが当接することにより、可動部はディスク方向へ、規定以上の動作を制限することを特徴とする対物レンズ駆動装置。
【請求項２】
アクチュエータ可動部をフレームに対して変位可能に直線状のサスペンションワイヤーにて支持するレンズホルダーの左右両側面に、当接部を設けたことを特徴とする請求項１に記載の対物レンズ駆動装置。
【請求項３】
当接部はレンズホルダーの左右両側面の上部と下部の支持部の間に一体的に成型されて配置したことを特徴とする請求項２に記載の対物レンズ駆動装置。
【請求項４】
ストッパーは鋼板製を使用するとともに、張力を有する爪を設け、該爪によりアクチュエータフレームに張着したことを特徴とする請求項１に記載の対物レンズ駆動装置。
【発明の詳細な説明】
【０００１】
【発明の属する技術分野】
本発明は、光ピックアップの対物レンズ駆動装置に関する。
【０００２】
【従来の技術】
ディスク等の信号記録媒体に対して光学的に信号の読み取り、あるいは書き込みを行う光学ヘッドは、通常、発光素子である半導体レーザー及び受光素子である光検出器が組み込まれるハウジングには、鋼板製のフレームと一体化されたアクチュエータフレームが可動部の両側面の近傍に沿って配置され、前記フレームの下部には前記ハウジングに取り付けられるように成型されている。
【０００３】
また、可動部のレンズホルダーには、左右の側面の上部と下部に支持部を設け、該支持部をサスペンションワイヤーにて支持するとともに前記サスペンションワイヤーの他端にはサスペンションワイヤーを保持する保持部を設け、該保持部をフレームにネジにて取り付けられている。サスペンションワイヤーにて支持されるレンズホルダーはコイルボビンと共通に成型されるとともに、前記コイルボビンの上面には突起状の当接部が設けられている。
【０００４】
前記アクチュエータフレームには可動部全体を覆う鋼板製のカバーを左右に配置されるアクチュエータフレームの上部にカバーの両上端部を折り曲げた板バネにより覆設し、動作時、前記カバーの内面と当接部とが当接し、可動部はディスク方向へ、規定以上の動作を制限するストッパー機構として構成されている。
【０００５】
【特許文献１】
特開２０００−２５１２９８号
【０００６】
【発明が解決しようとする課題】
通常の対物レンズ駆動装置は前述したようにコイルボビンの上部に設けられた当接部と、サスペンションワイヤーの両外側の近傍に配置されたアクチュエータフレームに可動部全体を覆うストッパー機能を有する鋼板製のカバーを張着し、該ストッパーと、前記当接部が当接するように構成されていたが、超薄型光学ピックアップにおいては、ディスクとピックアップカバー間のクリアランス量と、レンズ可動量を確保しながら磁気回路上部へのピックアップカバー配置によるストッパー構成は困難なものであった。
【０００７】
ピックアップ全体を覆うカバーをストッパーとして構成された対物レンズ可動範囲制限においては、レンズ姿勢制御と取付けバラツキの影響で、可動範囲のバラツキにつながるものであり、可動範囲のバラツキは、必要以上にレンズホルダーを上下させ、サスペンションワイヤーへのストレス増加につながり、極端な場合は、外力（衝撃）が加わった際にストッパーへの接触状態が左右アンバランスとなり、サスペンションワイヤーの変形につながる恐れがあった。
【０００８】
本発明は、斯かる問題を解決した対物レンズ駆動装置を提供しようとするものである。
【０００９】
【課題を解決するための手段】
ピックアップ可動部に当接部を設け、ピックアップ可動部の両側面の近傍にフレームと一体化されたアクチュエータフレームを配置し、該アクチュエータフレームの上部にストッパーを各々設け、前記当接部にストッパーが当接することにより、可動部はディスク方向へ、規定以上の動作を制限するものである。
【００１０】
【実施例】
図１は本発明に係る対物レンズ駆動装置の一実施例を示す斜視図、図２は図１に示す対物レンズ駆動装置の要部の一部を取り外した状態を示す斜視図、図３は図１に示した対物レンズ駆動装置の異なる方向を示す斜視図である。
【００１１】
対物レンズ１はレンズホルダー２に保持されるとともに、端部にはボビン２ａが一体成型され、該ボビン２ａにはフォーカスコイル３が内周に巻回されて装着されており、トラッキングコイル４、５は、ボビン２ａ内に前記フォーカスコイル３と接して所定の位置に巻回されている。
【００１２】
また、レンズホルダー２の左右の側面には、上下に各２本がお互い平行にそれぞれ弾性支持体となるサスペンションワイヤー６の上部に配置される一端は、前記レンズホルダー２と一体成型された支持部２ｂと、該支持部２ｂの延長線に副支持部２ｃがレンズホルダー２に配置され、下部に配置されるサスペンションワイヤー６の一端は、前記レンズホルダー２と一体成型された支持部２ｄと、該支持部２ｄの延長線には副支持部２ｅが前記副支持部２ｃよりも短い位置に支持されている。
【００１３】
そして、前記４本の各サスペンションワイヤー６の他端は、保持部材７と該保持部材７に貼り付けられたプリント基板８に半田付けされるとともに、プリント基板８および保持部材７は鋼板製のフレーム９にネジ１０により固定され、対物レンズ駆動部は変位可能に弾性的に支持される。また、レンズホルダー２を挟んだ両側面に配置された支持部２ｂ及び支持部２ｄの間には、外方向に突起する当接部２ｆが一体成型されて設けられている。
【００１４】
前記フレーム９には、前記フォーカスコイル３とトラッキングコイル４、５を挟んで同一磁極面（Ｎ極）が対向した一対のマグネット１１及び１２がフレーム９と一体に成型される対向ヨーク１３及び１４に取り付けられている。また、フレーム９と一体化されたアクチュエータフレーム１５はサスペンションワイヤー６の両側面の外側に沿った近傍に配置されている。
【００１５】
そして、アクチュエータフレーム１５の上端と下端に張着される鋼板製のストッパー１７が設けられ、上端部には張力を有する爪１７ａ、１７ｂと下端部には爪１７ｃ、１７ｄによりアクチュエータフレーム１５に張着されるとともに、該ストッパー１７の上部には、鍔を設け、前記当接部２ｆと当接する当接面１７ｅが設けられている。
【００１６】
マグネット１１及び１２から発生される磁束は、フォーカスコイル３及び各トラッキングコイル４、５の有効領域に作用し、フォーカスコイル３にフォーカスエラー信号を供給することによりディスクの信号面にレンズホルダー２と共に対物レンズ１が駆動されて光ビームを合焦させるフォーカス制御が行われ、また、各トラッキングコイル４、５にはトラッキングエラー信号を供給することによりディスクの信号トラックに光ビームを追従させるトラッキング制御が行われることによりレンズホルダー２と共に対物レンズ１がディスクに記録された信号をトレース駆動することができる。
【００１７】
このように構成された対物レンズ駆動装置は、フレーム９と一体化された左右のアクチュエータフレーム１５にストッパー１７を設けた当接面１７ｅと、可動部に設けられた当接部２ｆとが当接する位置精度が高いものである。
【００１８】
【発明の効果】
本発明は、ピックアップ可動部に当接部を設け、ピックアップ可動部の左右両側面の近傍にフレームと一体化されたアクチュエータフレームを配置し、該アクチュエータフレームの上部にストッパーを各々設け、前記当接部にストッパーが当接することにより、可動部はディスク方向へ、規定以上の動作を制限するようにしたので、超薄型ピックアップにおいては、ピックアップ全体とディスクとのクリアランスは、ピックアップ上部全体をカバーにて覆う構成においてはクリアランスは少ししか確保できなかったが、本発明によると、クリアランスは余裕を持って確保することができるものである。
【００１９】
また、本発明は、従来ストッパーは、鋼板の両端を折り曲げ、該折り曲げ部を板バネとし、トラッキングコイル及びフォーカシングコイルを覆うようにフレームに取り付けられ、取り付け不具合によっては、カバーの浮きが発生し、ストッパーへの接触状態が左右アンバランスとなっていたが、本発明では左右の指定位置に確実に張着されるので、左右のストッパーへの基準点が変ることなく当接位置が同一なことから、カバーの浮きによるワイヤーのストレスにつながる危険性がないという効果を有している。
【００２０】
また、タンジェンシャル方向のレンズ姿勢調整時には、フレームと一体で変位するため、レンズホルダーのストッパー部と常に平行な位置関係を確保することが出来、ワイヤー変形の発生を防止する効果を得ることができる。
【００２１】
そして、当接部はレンズホルダーの左右両側面の上部と下部の支持部の間に一体的に成型されたので、強度的に優れている。
【図面の簡単な説明】
【図１】図１は本発明に係る対物レンズ駆動装置の一実施例を示す斜視図である。
【図２】図２は対物レンズ駆動装置の要部の一部を取り外した斜視図である。
【図３】図３は図１に示す対物レンズ駆動装置の異なる方向からの斜視図である。
【符号の説明】
１            対物レンズ
２            レンズホルダー
２ｆ            当接部
２ｂ、２ｄ      支持部
２ｃ、２ｅ      副支持部
６            サスペンションワイヤー
９            フレーム
１５            アクチュエータフレーム
１７            ストッパー
１７ａ、１７ｂ  爪
１７ｃ、１７ｄ  爪
【図１】
2004273006.tif 000003
【図２】
2004273006.tif 000004
【図３】
2004273006.tif 000005